(57)【要約】【課題】装着者のクリアな視界を妨げることなく、装着者の目周辺をレンズの外側から見えにくくすることができる眼鏡用レンズ及び眼鏡を提供する。【解決手段】レンズ基材の内側である装着者側面にのみ反射防止コーティング層を有する。さらに、装着者の目尻及び目の下の少なくとも一方に対応する位置近傍には、その他の部分より染色が濃く透明度の低い濃染色部４が形成されており、濃染色部４が形成される眼鏡用レンズ２の外側から入る光の透過率が、その他の部分の光の透過率より低くなるように構成される。これにより、装着者は、自分の目周辺の皺やくまを目立たなくし隠すことができる。【選択図】      図１
2005250358.tif 000002
【特許請求の範囲】
【請求項１】
レンズ基材上に反射防止コーティング層を有した眼鏡用レンズであって、
前記レンズ基材の装着者側面である内側にのみ前記反射防止コーティング層を有し、前記レンズ基材の外側には前記反射防止コーティング層を有さないことを特徴とする眼鏡用レンズ。
【請求項２】
前記眼鏡用レンズは、前記レンズ基材の内側及び外側に、傷付き防止コーティング層、防汚コーティング層、紫外線防止コーティング層、曇り防止コーティング層の少なくとも一つを備えたことを特徴とする請求項１に記載の眼鏡用レンズ。
【請求項３】
光透過率を調整するための染色が施された眼鏡用レンズであって、
装着者の目尻及び目の下の少なくとも一方に対応する位置近傍は、その他の部分より染色が濃く透明度の低い濃染色部が形成されており、当該濃染色部が形成される前記眼鏡用レンズの外側から入る光の透過率が、その他の部分の光の透過率より低くなるように構成されたことを特徴とする眼鏡用レンズ。
【請求項４】
前記染色は、前記装着者の肌色と近似する色であることを特徴とする請求項３に記載の眼鏡用レンズ。
【請求項５】
前記濃染色部は、前記眼鏡用レンズの目尻側端部の下方から上方へ向けて斜めに３０度〜６０度の傾きをもって徐々に染色が薄く透明度が高くなるように形成されたことを特徴とする請求項３又は４に記載の眼鏡用レンズ。
【請求項６】
請求項１に記載の眼鏡用レンズにおいて、請求項３乃至請求項５のいずれか１項に記載の染色がさらに施されていることを特徴とする眼鏡用レンズ。
【請求項７】
請求項１乃至請求項６のいずれか１項に記載の眼鏡用レンズを備えたことを特徴とする眼鏡。
【発明の詳細な説明】
【技術分野】
【０００１】
本発明は、眼鏡用レンズ及び眼鏡に関する。
【背景技術】
【０００２】
従来の眼鏡において、レンズに入った光はその大部分がレンズを透過するが、一部の光はレンズの表面で反射する。この反射により、レンズの透過率が減少し、さらに映り込みによってレンズ面に像や影ができてしまうため、装着者にとっては視界が鮮明でなく見えにくいという問題が生じていた。
【０００３】
そこで、レンズの表面での反射を抑えるために、レンズ基材の内側（以下、眼鏡を装着した時の装着者側を「内側」と呼ぶこととする。）及び外側に反射防止コーティングを施したものが使用されており（特許文献１参照）、近年この形態が標準化しつつある。この反射防止コーティングでは、レンズ基材の内側と外側の双方の表面に薄膜状の物質を蒸着により複数層に亘って積層し、多層反射防止膜を形成している。蒸着される物質としては、低屈折率物質であるＳｉＯ２，ＳｉＯＸ等の酸化珪素、高屈折率物質であるＺｒＯ２（酸化ジルコニウム）、Ｔａ２Ｏ５（酸化タンタル）、ＴｉＯ２（酸化チタン）等が用いられている。また、レンズ基材が合成樹脂（プラスチックレンズ）である場合、耐擦傷性に弱く傷がつき易いため、レンズ基材に傷付き防止コーティング層（いわゆるハードコーティング層）を設け、その上に反射防止膜を形成するようにしている。
【０００４】
上記構成によれば、装着者側からレンズに入る光が反射されないため、レンズの内面の透過率が高くなるとともに、外側からレンズに入る光の反射もレンズの外面の反射防止コーティング層によって防止されるため、レンズの外面の透過率も内面と同様に高くなる。よって、レンズの内面及び外面での反射・映り込みを防止でき、透過率が上がりコントラスト感度の高いクリアな視界が実現できるとされていた。
【特許文献１】特開平７−１３４２０１（請求項１、図１）
【発明の開示】
【発明が解決しようとする課題】
【０００５】
しかしながら、上記構成によれば、レンズの内面及び外面の透過率が共に高いため、装着者にとってクリアな視界であるとともに、装着者以外の者がレンズを通して見る装着者の肌部分の視界もクリアであった（図６参照）。これは、若い世代の眼鏡利用者ならともかく、顔の皺が気になり出す３０代以上の女性や男性も含めた年配者にとっては、あまり好ましくない。本出願人の調査によれば、特に、目の下のくま１５や目尻の皺１４は、女性や年配者が気に掛ける箇所であるため、視界のクリアさは確保したい一方で、なるべくくま１５や目尻の皺１４を目立たなくしたいという相反する要望が潜在的にあった。この場合、レンズの透過率を下げて外側から見えにくくするように、反射防止コーティングを施さないことも考えられる。しかし、全く反射防止コーティングを施さないと、レンズの内面における光も反射してしまうため、その反射や映り込みによってちらつきが生じ装着者にとって違和感が生じる。特に、遠近両用眼鏡に用いられる、遠視用度数と近視用度数との間で連続的に度数が変わる累進度数帯を有する累進レンズでは、内側面が変則的な曲面となっているため、レンズ内面に映り込んだ光が不規則に変化し、その違和感が顕著に表れるという問題があった。
【０００６】
また、レンズの透過率を下げるための他の方法として、レンズに染色を施してサングラス（色付き眼鏡）とすることも考えられる。サングラスとすれば透過率はかなり低くすることができるが、同時に装着者側（内側）からの視界全体が暗くなってしまい、コントラスト感度が低く必要視力が得られにくいという問題があった。また、室内や夜間の屋外等の日常使用において、着色された眼鏡を使用することは好ましくない場合も多々あった。
【０００７】
上記問題を解決するため、本発明は、装着者のクリアな視界を妨げることなく、装着者の目周辺をレンズの外側から見えにくくすることができる眼鏡用レンズ及び眼鏡を提供することにある。
【課題を解決するための手段】
【０００８】
上記目的を達成するため、請求項１に記載の眼鏡用レンズは、レンズ基材上に反射防止コーティング層を有した眼鏡用レンズであって、前記レンズ基材の装着者側面である内側にのみ前記反射防止コーティング層を有し、前記レンズ基材の外側には前記反射防止コーティング層を有さないことを要旨とする。
【０００９】
請求項２に記載の眼鏡用レンズは、請求項１に記載の眼鏡用レンズにおいて、前記眼鏡用レンズは、前記レンズ基材の内側及び外側に、傷付き防止コーティング層、防汚コーティング層、紫外線防止コーティング層、曇り防止コーティング層の少なくとも一つを備えたことを要旨とする。
【００１０】
請求項３に記載の眼鏡用レンズは、光透過率を調整するための染色が施された眼鏡用レンズであって、装着者の目尻及び目の下の少なくとも一方に対応する位置近傍は、その他の部分より染色が濃く透明度の低い濃染色部が形成されており、当該濃染色部が形成される前記眼鏡用レンズの外側から入る光の透過率が、その他の部分の光の透過率より低くなるように構成されたことを要旨とする。
【００１１】
請求項４に記載の眼鏡用レンズは、請求項３に記載の眼鏡用レンズにおいて、前記染色は、前記装着者の肌色と近似する色であることを要旨とする。
請求項５に記載の眼鏡用レンズは、請求項３又は４に記載の眼鏡用レンズにおいて、前記濃染色部は、前記眼鏡用レンズの目尻側端部の下方から上方へ向けて斜めに３０度〜６０度の傾きをもって徐々に染色が薄く透明度が高くなるように形成されたことを要旨とする。
【００１２】
請求項６に記載の眼鏡用レンズは、請求項１に記載の眼鏡用レンズにおいて、請求項３乃至請求項５のいずれか１項に記載の染色がさらに施されていることを要旨とする。
請求項７に記載の眼鏡は、請求項１乃至請求項６のいずれか１項に記載の眼鏡用レンズを備えたことを要旨とする。
【発明の効果】
【００１３】
本発明によれば、装着者のクリアな視界を妨げることなく、装着者の目周辺をレンズの外側から見えにくくすることができる。
【発明を実施するための最良の形態】
【００１４】
以下、本発明を具体化した一実施形態を図１〜図５にしたがって説明する。
図１は、本実施形態の眼鏡を示す正面図である。図１に示すように、眼鏡１は、左右の眼鏡用レンズ２（以下、単に「レンズ」ともいう。）と、レンズ２を連結支持するフレーム３とを備えている。レンズ２には、光透過率を調整するための肌色の染色が施されており、目尻側端部の下方にはその他の部分よりも染色が濃く透明度の低い濃染色部４が形成されている。この濃染色部４は、両レンズの目尻側端部の下方から装着者の鼻側へ上方へ向けて斜め４５度の傾きをもって徐々に染色が薄く透明度が高くなるように形成されている。このため、濃染色部４が形成される目尻側の下方部分の透過率がレンズ２のその他の部分より低くなっている。
【００１５】
図２は、図１におけるＡ−Ａ線拡大断面図であって、レンズ２の表面におけるコーティング層の態様を示している。図２に示すように、レンズ基材５の内側（以下、眼鏡１を装着した時の装着者側を「内側」と呼ぶこととする。）６には、傷付き防止コーティング層７が形成され、さらにその上には反射防止コーティング層８が積層形状に形成されている。一方、レンズ基材５の外側９には、傷付き防止コーティング層７のみが形成されており、反射防止コーティング層は形成されていない。なお、本実施形態のレンズ基材５には、熱重合により得られたウレタン系の合成樹脂を用いている。
【００１６】
次に、上記構成のレンズ２の製造行程のうち、特に染色行程及び反射防止コーティング行程について説明する。まず、染色行程では、レンズ基材５に対し、例えばイエロー系分散染料やその他レッド系、ブルー系、グレー系の各分散染料を添加した染色液を満たした染色槽中に浸漬させることによって行う。まず、レンズ２の目尻側端部の下方（濃染色部４を形成したい部分）を、例えば、斜め４５度の傾きをもって染色液中に所定時間（例えば数分間）浸漬させる。すると、レンズ２の目尻側端部の下方から上方へむけて徐々ににじむようにして染色液が浸透していく。その後、レンズ２を染色液からゆっくりと引き上げる。このようにして、濃染色部４は目尻側端部の下方から上方へ向けて斜め４５度の傾きをもって徐々に染色濃度が薄くなるように形成され、図１に示す染色態様のレンズ２を製造することができる。
【００１７】
一方、反射防止コーティング層８は、真空中にて反射防止コーティング層を構成する物質をＥＢ（電子銃）で加熱・溶融して、染色後のレンズ基材５の表面に積層していく真空蒸着法を用いて形成される。また、この時、レンズ基材５と反射防止コーティング層８との密着不良を防ぐため、レンズ基材５に反射防止コーティング層を構成する物質を加熱・溶融して積層していく際にイオンビームを照射しながら行っても良い。反射防止コーティング層８は、複数の反射防止膜の積層によって構成されており、これら複数の反射防止膜を構成する物質としては、例えば低屈折率物質であるＳｉＯ２，ＳｉＯＸ等の酸化珪素、高屈折率物質であるＺｒＯ２（酸化ジルコニウム）、Ｔａ２Ｏ５（酸化タンタル）、ＴｉＯ２（酸化チタン）等が適宜選択されて用いられる。ここで、本実施形態のレンズ２では、上記真空蒸着法によってレンズ基材５の内側にのみ反射防止コーティング層８が施される。よって、レンズ２の内面は反射防止コーティング層８によって光の反射が防止され、レンズ２の外面と比較して透過率が高くなっている。逆に言えば、レンズ２の外面の透過率は、内面の透過率よりも低くなっている。
【００１８】
なお、上記形態では、図２において簡単のため、反射防止コーティング層８以外のコーティング層としては、傷付き防止コーティング層７のみ施されている態様に基づいて説明した。しかし通常は、例えば汚れや指紋を付きにくくする防汚コーティング層や紫外線防止コーティング層、曇り防止コーティング層、撥水コーティング層等の各種コーティングをさらに施したマルチコーティングレンズとして実施される。よって、図２においてレンズ基材５の内側６及び外側９には、傷付き防止コーティング層７及び反射防止コーティング層８以外はなんらコーティング層が図示されていないが、実際は傷付き防止等のコーティング層が積層形成されているものである。なお、その場合であっても反射防止コーティング層８に限っては、レンズ基材５の内側６にのみ形成され、レンズ基材５の外側９には形成されないものとする。
【００１９】
次に、上記の眼鏡用レンズ２を装着した際の作用について述べる。図３は、眼鏡１を装着した場合のレンズ２の光の透過及び反射を示す模式図である。図３に模式的に示すように、装着者（装着者の目１０）側からレンズ２に入る光（光線ａ，光線ｂ）は、反射防止コーティング層８によって、レンズ２の内面に反射することによって生じる反射光（図３で二点鎖線で示す光線ｅ）が殆ど目１０に入射することなくレンズ２を透過している。一方、装着者へ向けて外側からレンズ２に入る光（光線ｃ，光線ｄ）は、レンズ２の外面には反射防止コーティング層が形成されていないため、レンズ２の表面で大部分が反射している（光線ｃは、その一部が透過する例を示している。）。もちろん、光線ａ，光線ｂ，光線ｃ，光線ｄ以外の光線で、入射角の違いによってレンズ２の内面でも反射する光やレンズ２の外面でも透過する光も存在するが、特徴的には、レンズ２の内面側から入る光はその大部分が反射することなく透過し、レンズ２の外面側から入る光は著しく反射するものである。また、この光線ｃ、光線ｄの透過率の調整は、反射防止コーティングの調整により希望に応じて変化させることができる。さらに、濃染色部４の染色濃度の調整によっても変化させることができる。
【００２０】
これによれば、装着者がレンズ２を通して見る視界については、内側６の反射防止コーティング層８により反射が防止されレンズ２の内面の透過率が高くなっているため、装着者の背景等の映り込みも出来にくく明るくクリアな視界が維持できる。一方、装着者に向って外側からレンズ２を通して見る場合には、図４に示すように、レンズ２の外面には、反射によってレンズ２の奥が見えない部分１１や映り込み１２が発生し易く、装着者の目や目の周辺部がくっきりとは見えにくい。もちろん、照明の当たり具合等の周辺環境により映り込みや反射の程度は異なるが、特に、反射防止コーティング層を通して見る場合と比較すれば、レンズ２の奥の視界が鮮明でないことは明らかである（図４と図６の比較参照）。
【００２１】
さらに、本実施形態では、目尻側端部の下方に濃染色部４が形成されており、この濃染色部４の透過率がその他の部分より低くなっている。このため、装着者の目周辺を外側から見る時には、前述した反射や映り込みが障害になることに加え、透過率の低い濃染色部４を介して見ることになるため、さらにその視界の鮮明さが失われることになる。
【００２２】
なお、レンズ基材５の外側９に反射防止コーティングを施さない場合は、外側９にも施した場合と比べれば、装着者側からの視界の鮮明さが若干劣ることになるが、内側６にさえ反射防止コーティングを施してあれば、日常的に装着する場合であればさほど影響のない程度であるといえる。
【００２３】
上記実施形態によれば、以下のような効果を得ることができる。
（１）上記実施形態では、レンズ２の内面である装着者側面にのみ反射防止コーティング層８が形成され、レンズ２の外面には反射防止コーティング層８が形成されていない。よって、レンズ２の外面の透過率をあえて上昇させることがないため、外面に反射防止コーティング層を有する場合と比べて、外側からは装着者の目や目周辺部分が見えにくい。これは、女性や年配者の眼鏡利用者にとって、自分の目周辺の皺やくまを隠すことができるという効果がある。
【００２４】
（２）また、反射防止コーティング層８をレンズ２の内面に設けているため、レンズ２の内面の反射や映り込みを防いで装着者の視界をクリアに維持することができるという効果がある。
【００２５】
（３）上記実施形態のレンズ２には、目尻側端部の下方に濃染色部４が形成されており、レンズ２のその他の部分より透過率が低くなっている。このため、特に皺の多い目尻周辺を効果的に隠すことができるという効果がある。
【００２６】
（４）上記実施形態では、染色が肌色によって施されているため、レンズ２が装着者の肌の色と同化し易く、より自然に目周辺の皺やくまを隠すことができるという効果がある。また、肌色であれば装着者の肌の色と同化して濃染色部４のグラデーションも目立ちにくく、ＴＰＯに影響されにくい自由な装着が可能な眼鏡とすることができる。
【００２７】
（５）上記実施形態では、レンズ２の外面に反射防止コーティング層を有さないことと、肌色による染色との２重の構成を採っているため、より皺等を目立たなくし確実に隠すことができるという効果がある。
【００２８】
なお、上記実施形態は以下のような別の実施形態（別例）に変更してもよい。
・上記実施形態では、レンズ２の外面に反射防止コーティング層を有さないことと、肌色による染色との２重の構成を採用したが、反射防止コーティングを外面にも施しても良い。反射防止コーティング層の有無に関係なく、肌色の染色を実施していれば、この染色のみによっても皺隠しの効果を奏することができる。
【００２９】
・また、逆に染色を施さず、レンズの内面にのみ反射防止コーティング層８を有する形態で実施することもできる。この場合も、染色の有無に関係なく、レンズ２の外面に反射防止コーティング層が形成されないことによって皺隠しの効果を奏することができる。従って、レンズへの着色が憚られるようなときでも、効果的にしわ隠しをすることができる。
【００３０】
・レンズ基材５の外側９に施される傷付き防止コーティング層７のさらに外側に、膜厚０．５〜３μｍのＳｉＯ２等の物質を保護層として真空蒸着法により付加することができる。ＳｉＯ２等の保護層を付加することにより、耐久性が強化されるというさらなる効果がある。
【００３１】
・肌色の染色に代えて、黒色や青色等の染色により種々の色つきレンズとしても良い。この場合、肌色と同様に皺隠し効果を保持したまま、ファッション性を有する眼鏡とすることができる。
【００３２】
・また、眼鏡の大きさにもよるが、レンズが大きくレンズの下部が装着者の頬周辺にくる場合等は、染色をその部分のメーク色にあわせた色にする（例えば頬に赤みのあるチークをさすようであれば薄い赤色とする）等、種々の対応が可能である。この場合、肌色以外の色であってもレンズと肌の色が一体化し、レンズの着色が顔に対して一体感を生じさせ、自然な感じとすることができる。
【００３３】
・上記実施形態の濃染色部４は、斜め４５度の傾きをもって形成されるものとしたが、この角度に何ら限定されるものではなく、例えば３０度〜６０度の範囲で適宜変更することができる。この範囲であれば、一般に女性が気にする目尻の小皺やくまを効果的に隠すことができるとともに、視界を妨げることがない。
【００３４】
・さらに、図５に示すように、濃染色部１３を目尻側端部から鼻側に向けて横方向へ徐々に染色が薄く透明度が高くなるように形成しても良い。この場合、目の下よりも特に目尻の上下部分の皺を隠したい場合に効果的である。その他、装着者の気になる箇所に応じて濃染色部を適宜配置することができる。
【００３５】
・また、図１及び図５において濃染色部４，１３は徐々にその濃度が薄くなるグラデーションの形態にて形成したが、単一濃度の染色部として形成しても良い。
・上記実施形態では、レンズ基材５は熱硬化性樹脂であるウレタン系樹脂としたが、その他、ジエチレングリコールビスアリルカーボネート樹脂や、アクリル樹脂、ポリスチレン樹脂、ポリカーボネート樹脂、エピスルフィド系樹脂等の熱可塑性樹脂としても良い。
【図面の簡単な説明】
【００３６】
【図１】本実施形態における眼鏡の正面図。
【図２】図１のＡ−Ａ線拡大断面図。
【図３】眼鏡用レンズの表面における光の透過及び反射の態様を示す模式図。
【図４】装着されたレンズを外側から見た図。
【図５】別の実施形態における染色の態様を示す正面図。
【図６】従来において、装着されたレンズを外側から見た図。
【符号の説明】
【００３７】
１…眼鏡、２…眼鏡用レンズ（レンズ）、４，１３…濃染色部、５…レンズ基材、６…内側（レンズ基材の内側）、７…傷付き防止コーティング層、８…反射防止コーティング層、９…外側（レンズ基材の外側）、１０…目。
【図１】
2005250358.tif 000003
【図２】
2005250358.tif 000004
【図３】
2005250358.tif 000005
【図４】
2005250358.tif 000006
【図５】
2005250358.tif 000007
【図６】
2005250358.tif 000008